(57)【要約】【課題】ユーザーの使用性の向上及びチューナ資源の有効活用【解決手段】複数のチューナ手段を有し録画機能を有する放送受信装置において、各種機能についてのチューナー手段の割り当てに優先順位を設定し、実行する機能（目的）及び優先順位に基づいてチューナ手段を選択的に制御する。ユーザーの希望する操作による機能（視聴、手動録画、予約録画）については実行するチューナの専用化及び高優先順位とする。自動機能（ＥＰＧデータ取得、ジャストクロック、自動録画）についてはチューナの選択を可能とし、低優先順位とする。【選択図】　　　　図５
2004064478.tif 000002
【特許請求の範囲】
【請求項１】
複数のチューナ手段と、
上記複数のチューナ手段のうちの第１のチューナ手段で受信復調された放送信号を視聴用信号として出力することのできる視聴出力手段と、
上記複数のチューナ手段のいずれかで受信復調された放送信号を記録媒体に記録することのできる記録手段と、
上記複数のチューナ手段がそれぞれ実行する受信復調動作について、その受信復調動作の目的に応じて優先順位を設定するとともに、チューナ手段による受信復調動作が必要とされる際には、その受信復調動作の目的種別及び優先順位に基づいて、上記複数のチューナ手段のうちのいずれかのチューナ手段に当該受信復調動作を実行させる制御手段と、
を備えたことを特徴とする放送受信装置。
【請求項２】
上記制御手段は、上記視聴出力手段による視聴用信号の出力を目的とする放送信号の受信復調動作を優先順位の高い動作と設定するとともに、
当該目的の受信復調動作の実行要求が発生した際には、上記第１のチューナ手段において当該目的のための受信復調動作を実行させることを特徴とする請求項１に記載の放送受信装置。
【請求項３】
上記制御手段は、操作に応じて上記記録手段によって放送信号を記録媒体に記録することを目的とする放送信号の受信復調動作を優先順位の高い動作と設定するとともに、
当該目的の受信復調動作の実行要求が発生した際には、上記複数のチューナ手段のうちの第２のチューナ手段において、当該目的のための受信復調動作を実行させることを特徴とする請求項１に記載の放送受信装置。
【請求項４】
上記制御手段は、所定の自動処理を目的とする放送信号の受信復調動作を優先順位の低い動作と設定するとともに、
当該目的の受信復調動作の実行要求が発生した際には、上記複数のチューナ手段のうちで動作実行可能な状態のチューナ手段を選択して、当該目的の受信復調動作を実行させることを特徴とする請求項１に記載の放送受信装置。
【請求項５】
上記所定の自動処理を目的とする放送信号の受信復調動作とは、放送信号から特定の情報を抽出するための受信復調動作であることを特徴とする請求項４に記載の放送受信装置。
【請求項６】
上記所定の自動処理を目的とする放送信号の受信復調動作とは、自動的に上記記録手段によって放送信号を記録媒体に記録するための放送信号の受信復調動作であることを特徴とする請求項４に記載の放送受信装置。
【請求項７】
上記制御手段は、実行要求に応じた受信復調動作を或るチューナ手段に実行させようとする際に、そのチューナ手段において優先順位の低い受信復調動作が実行されていた場合は、その優先順位の低い受信復調動作を終了させて、実行要求に応じた受信復調動作を実行させることを特徴とする請求項１に記載の放送受信装置。
【請求項８】
上記制御手段は、実行要求に応じた受信復調動作を或るチューナ手段に実行させようとする際に、そのチューナ手段において優先順位が同等以上の受信復調動作が実行されていた場合は、上記実行要求をキャンセルすることを特徴とする請求項１に記載の放送受信装置。
【請求項９】
上記複数のチューナ手段がそれぞれ実行する受信復調動作について、その受信復調動作の目的に応じて優先順位を設定するとともに、受信復調動作の予約要求に応じて、その受信復調動作の目的種別及び優先順位に基づいて、上記複数のチューナ手段のうちのいずれかのチューナ手段に対して、当該受信復調動作の予約を行う予約手段を、更に備えたことを特徴とする請求項１に記載の放送受信装置。
【請求項１０】
上記予約手段は、上記視聴出力手段による視聴用信号の出力を目的とする放送信号の受信復調動作を優先順位の高い動作と設定するとともに、
当該目的の受信復調動作の予約要求が発生した際には、上記第１のチューナ手段に対する予約情報として、当該目的のための受信復調動作の予約を行うことを特徴とする請求項９に記載の放送受信装置。
【請求項１１】
上記予約手段は、操作に応じて上記記録手段によって放送信号を記録媒体に記録することを目的とする放送信号の受信復調動作を優先順位の高い動作と設定するとともに、
当該目的の受信復調動作の予約要求が発生した際には、上記複数のチューナ手段のうちの第２のチューナ手段に対する予約情報として、当該目的のための受信復調動作の予約を行うことを特徴とする請求項９に記載の放送受信装置。
【請求項１２】
上記予約手段は、所定の自動処理を目的とする放送信号の受信復調動作を優先順位の低い動作と設定するとともに、
当該目的の受信復調動作の予約要求が発生した際には、上記複数のチューナ手段のうちで予約可能な状態のチューナ手段を選択して、選択したチューナ手段に対する予約情報として、当該目的の受信復調動作の予約を行うことを特徴とする請求項９に記載の放送受信装置。
【請求項１３】
上記所定の自動処理を目的とする放送信号の受信復調動作とは、放送信号から特定の情報を抽出するための受信復調動作であることを特徴とする請求項１２に記載の放送受信装置。
【請求項１４】
上記所定の自動処理を目的とする放送信号の受信復調動作とは、自動的に上記記録手段によって放送信号を記録媒体に記録するための放送信号の受信復調動作であることを特徴とする請求項１２に記載の放送受信装置。
【請求項１５】
上記予約手段は、予約要求された受信復調動作を或るチューナ手段に対して予約しようとする際に、そのチューナ手段に対する同時刻の予約として優先順位の低い受信復調動作が予約されていた場合は、その優先順位の低い受信復調動作の予約を抹消して、予約要求された受信復調動作を予約することを特徴とする請求項９に記載の放送受信装置。
【請求項１６】
上記予約手段は、予約要求された受信復調動作を或るチューナ手段に対して予約しようとする際に、そのチューナ手段に対する同時刻の予約として優先順位が同等以上の受信復調動作が予約されていた場合は、上記予約要求をキャンセルすることを特徴とする請求項９に記載の放送受信装置。
【請求項１７】
複数のチューナ手段がそれぞれ実行する受信復調動作について、その受信復調動作の目的に応じて優先順位を設定するとともに、チューナ手段による受信復調動作が必要とされる際には、その受信復調動作の目的種別及び優先順位に基づいて、上記複数のチューナ手段のうちのいずれかのチューナ手段に当該受信復調動作を実行させることを特徴とするチューナ制御方法。
【請求項１８】
視聴用信号の出力を目的とする放送信号の受信復調動作を優先順位の高い動作と設定するとともに、
当該目的の受信復調動作の実行要求が発生した際には、上記複数のチューナ手段のうちの第１のチューナ手段において当該目的のための受信復調動作を実行させることを特徴とする請求項１７に記載のチューナ制御方法。
【請求項１９】
操作に応じて放送信号を記録媒体に記録することを目的とする放送信号の受信復調動作を優先順位の高い動作と設定するとともに、
当該目的の受信復調動作の実行要求が発生した際には、上記複数のチューナ手段のうちの第２のチューナ手段において、当該目的のための受信復調動作を実行させることを特徴とする請求項１７に記載のチューナ制御方法。
【請求項２０】
所定の自動処理を目的とする放送信号の受信復調動作を優先順位の低い動作と設定するとともに、
当該目的の受信復調動作の実行要求が発生した際には、上記複数のチューナ手段のうちで動作実行可能な状態のチューナ手段を選択して、当該目的の受信復調動作を実行させることを特徴とする請求項１７に記載のチューナ制御方法。
【請求項２１】
上記複数のチューナ手段がそれぞれ実行する受信復調動作について、その受信復調動作の目的に応じて優先順位を設定するとともに、受信復調動作の予約要求に応じて、その受信復調動作の目的種別及び優先順位に基づいて、上記複数のチューナ手段のうちのいずれかのチューナ手段に対して、当該受信復調動作の予約を行うことを特徴とする請求項１７に記載のチューナ制御方法。
【発明の詳細な説明】
【０００１】
【発明の属する技術分野】
本発明は、テレビ放送などを受信する放送受信装置であって、複数のチューナを備えた放送受信装置、及びそのチューナ制御方法に関するものである。
【０００２】
【従来の技術】
放送衛星や通信衛星等の衛星によって、テレビジョン信号をデジタル信号化して伝送し、例えば各家庭においてこの放送信号を受信して視聴する、デジタル衛星放送システムが普及してきている。このような放送システムにおいては、例えば１５０近くあるチャンネルを確保することが可能であるため、例えばこれまでの地上波による放送と比較しても、非常に多くの番組を放送することができる。
【０００３】
そこで、デジタル衛星放送システムでは、多くの番組のなかから所望の番組を確実に選択できるようにするために、放送番組についての情報である、電子番組ガイド（ＥＰＧ：Ｅｌｅｃｔｒｉｃａｌ　Ｐｒｏｇｒａｍ　Ｇｕｉｄｅ）　の情報を伝送するようにしている。デジタル衛星放送受信装置側では電子番組ガイドのデータに基づいて番組ガイド表を作成して表示出力可能に構成されている。この番組ガイド表は、ＧＵＩ（Ｇｒａｐｈｉｃａｌ　Ｕｓｅｒ　Ｉｎｔｅｒｆａｃｅ）として構成されており、例えばユーザは、この番組ガイド表に対する操作を行うことで所望の番組を選択することなどができるようになっている。
【０００４】
またＥＰＧには番組のジャンル、例えばニュース、スポーツ、ドラマなどの種別が含まれており、ＥＰＧを利用することで、放送中の番組をジャンル毎にグループ化して管理することができるため、これを利用して大量のチャンネルの中から見たいジャンルの番組を検索することも可能とされている。
【０００５】
また近年では、ハードディスクなどの大容量記録媒体を用い、テレビ番組を録画できる記録再生装置が実現されている。
例えば放送受信装置にＨＤＤ（ハードディスクドライブ）を組み込むことで、その放送受信装置を用いることで、ユーザは番組の視聴だけでなく、録画及びその再生を楽しむことができる。
【０００６】
【発明が解決しようとする課題】
ところで、このような録画機能を備えた放送受信装置を考えた場合、番組の手動録画、予約録画、視聴といったユーザーの意志で機器を制御する機能（手動機能）にこたえるのみならず、ＥＰＧデータ取得、ジャストクロック機能、自動録画など、装置が自発的に行う機能（自動機能）も同時に実現しなければならない。
ここで、各機能を実現するためにはチューナによる受信復調動作（所定チャンネルの選局及び選局された放送信号の復調）が必要になる。
【０００７】
番組の視聴の場合は、当然ユーザーが要求した番組（チャンネル）についての受信復調動作が必要になる。
また、ユーザー録画操作に応じて録画を開始する手動録画、或いはユーザーの予約操作に基づいて予約された時刻に実行される予約録画も、その録画する放送の受信復調動作が必要になる。
また、近年では自動録画としてユーザーが要求しない録画を実行する機能もある。例えばユーザーが視聴する番組を統計的に記憶しておき、ユーザーがよく見る番組等を判別して、ユーザーが録画操作又は録画予約を行わなくとも、その番組を自動的に録画してしまう機能である。このような自動録画を行う際も、当然、録画する放送の受信復調動作が必要になる。
【０００８】
またＥＰＧデータは、放送信号に重畳されているため、ＥＰＧデータを取得する場合には、放送信号の受信復調動作が必要になる。
ジャストクロック機能とは、例えば放送信号における時報音を検出して、装置内部の時計を合わせる機能である。この機能を実行する場合も放送信号の受信復調動作が必要になる。
【０００９】
このように視聴、録画、予約録画、自動録画、ＥＰＧデータ取得、ジャストクロック等の各機能は、その機能が実行される場合に、それぞれ必要な受信復調動作が実行される。
【００１０】
ここで、機器に１つのチューナしか搭載されていない場合を考えると、ある機能のための受信復調動作が実行されているときに、別の機能の受信復調動作が要求されても、それが実行できない。もしくは実行中の機能の受信復調動作を中断させなければならない。例えば自動録画を実行中にユーザーが或るチャンネルの番組を視聴しようとして操作を行った場合は、自動録画を中断させる必要がある。
【００１１】
一方、チューナを２つ搭載した構成を考えると、或る程度複数の機能を同時実行することが可能となる。例えば視聴用チューナと録画用チューナを設けると、或る番組を録画を実行しながら他の番組を視聴することが可能となる。
しかしながら、上記のように多様な機能が実施されていくことに応じて、各機能にそれぞれ専用となるように多数のチューナを設けることは、資源的、機器構成的な無駄が多くなり好ましくない。
このため、複数のチューナを設ける場合において、各チューナをより有効に活用できるようにすることが求められている。
【００１２】
【課題を解決するための手段】
本発明はこのような事情に鑑みて、複数のチューナ手段を備え、また放送信号の記録機能を備えた放送受信装置において、チューナ手段を有効利用して各種機能のための受信復調動作が実行できるようにすることを目的とする。
【００１３】
本発明の放送受信装置は、複数のチューナ手段と、上記複数のチューナ手段のうちの第１のチューナ手段で受信復調された放送信号を視聴用信号として出力することのできる視聴出力手段と、上記複数のチューナ手段のいずれかで受信復調された放送信号を記録媒体に記録することのできる記録手段と、上記複数のチューナ手段がそれぞれ実行する受信復調動作について、その受信復調動作の目的に応じて優先順位を設定するとともに、チューナ手段による受信復調動作が必要とされる際には、その受信復調動作の目的種別及び優先順位に基づいて、上記複数のチューナ手段のうちのいずれかのチューナ手段に当該受信復調動作を実行させる制御手段とを備える。
また、上記制御手段は、上記視聴出力手段による視聴用信号の出力（視聴機能）を目的とする放送信号の受信復調動作を優先順位の高い動作と設定するとともに、当該目的の受信復調動作の実行要求が発生した際には、上記第１のチューナ手段において当該目的のための受信復調動作を実行させる。
また上記制御手段は、操作に応じて上記記録手段によって放送信号を記録媒体に記録すること（手動録画機能、予約録画機能）を目的とする放送信号の受信復調動作を優先順位の高い動作と設定するとともに、当該目的の受信復調動作の実行要求が発生した際には、上記複数のチューナ手段のうちの第２のチューナ手段において、当該目的のための受信復調動作を実行させる。
また上記制御手段は、所定の自動処理を目的とする放送信号の受信復調動作を優先順位の低い動作と設定するとともに、当該目的の受信復調動作の実行要求が発生した際には、上記複数のチューナ手段のうちで動作実行可能な状態のチューナ手段を選択して、当該目的の受信復調動作を実行させる。
上記所定の自動処理を目的とする放送信号の受信復調動作とは、放送信号から特定の情報（ＥＰＧデータや時報信号等）を抽出するための受信復調動作や、自動的に上記記録手段によって放送信号を記録媒体に記録（自動録画機能）するための放送信号の受信復調動作である。
また上記制御手段は、実行要求に応じた受信復調動作を或るチューナ手段に実行させようとする際に、そのチューナ手段において優先順位の低い受信復調動作が実行されていた場合は、その優先順位の低い受信復調動作を終了させて、実行要求に応じた受信復調動作を実行させる。
また上記制御手段は、実行要求に応じた受信復調動作を或るチューナ手段に実行させようとする際に、そのチューナ手段において優先順位が同等以上の受信復調動作が実行されていた場合は、上記実行要求をキャンセルする。
【００１４】
またさらに、上記複数のチューナ手段がそれぞれ実行する受信復調動作について、その受信復調動作の目的に応じて優先順位を設定するとともに、受信復調動作の予約要求に応じて、その受信復調動作の目的種別及び優先順位に基づいて、上記複数のチューナ手段のうちのいずれかのチューナ手段に対して、当該受信復調動作の予約を行う予約手段を備えるようにする。
上記予約手段は、上記視聴出力手段による視聴用信号の出力（視聴機能）を目的とする放送信号の受信復調動作を優先順位の高い動作と設定するとともに、当該目的の受信復調動作の予約要求が発生した際には、上記第１のチューナ手段に対する予約情報として、当該目的のための受信復調動作の予約を行う。
また上記予約手段は、操作に応じて上記記録手段によって放送信号を記録媒体に記録すること（手動録画機能、予約録画機能）を目的とする放送信号の受信復調動作を優先順位の高い動作と設定するとともに、当該目的の受信復調動作の予約要求が発生した際には、上記複数のチューナ手段のうちの第２のチューナ手段に対する予約情報として、当該目的のための受信復調動作の予約を行う。
また上記予約手段は、所定の自動処理を目的とする放送信号の受信復調動作を優先順位の低い動作と設定するとともに、当該目的の受信復調動作の予約要求が発生した際には、上記複数のチューナ手段のうちで予約可能な状態のチューナ手段を選択して、選択したチューナ手段に対する予約情報として、当該目的の受信復調動作の予約を行う。
上記所定の自動処理を目的とする放送信号の受信復調動作とは、放送信号から特定の情報（ＥＰＧデータや時報信号等）を抽出するための受信復調動作や、自動的に上記記録手段によって放送信号を記録媒体に記録（自動録画機能）するための放送信号の受信復調動作である。
また上記予約手段は、予約要求された受信復調動作を或るチューナ手段に対して予約しようとする際に、そのチューナ手段に対する同時刻の予約として優先順位の低い受信復調動作が予約されていた場合は、その優先順位の低い受信復調動作の予約を抹消して、予約要求された受信復調動作を予約する。
また上記予約手段は、予約要求された受信復調動作を或るチューナ手段に対して予約しようとする際に、そのチューナ手段に対する同時刻の予約として優先順位が同等以上の受信復調動作が予約されていた場合は、上記予約要求をキャンセルする。
【００１５】
本発明のチューナ制御方法は、複数のチューナ手段がそれぞれ実行する受信復調動作について、その受信復調動作の目的に応じて優先順位を設定するとともに、チューナ手段による受信復調動作が必要とされる際には、その受信復調動作の目的種別及び優先順位に基づいて、上記複数のチューナ手段のうちのいずれかのチューナ手段に当該受信復調動作を実行させる。
この場合、視聴用信号の出力（視聴機能）を目的とする放送信号の受信復調動作を優先順位の高い動作と設定するとともに、当該目的の受信復調動作の実行要求が発生した際には、上記複数のチューナ手段のうちの第１のチューナ手段において当該目的のための受信復調動作を実行させる。
また操作に応じて放送信号を記録媒体に記録すること（手動録画機能、予約録画機能）を目的とする放送信号の受信復調動作を優先順位の高い動作と設定するとともに、当該目的の受信復調動作の実行要求が発生した際には、上記複数のチューナ手段のうちの第２のチューナ手段において、当該目的のための受信復調動作を実行させる。
また所定の自動処理を目的とする放送信号の受信復調動作を優先順位の低い動作と設定するとともに、当該目的の受信復調動作の実行要求が発生した際には、上記複数のチューナ手段のうちで動作実行可能な状態のチューナ手段を選択して、当該目的の受信復調動作を実行させる。
また更に、上記複数のチューナ手段がそれぞれ実行する受信復調動作について、その受信復調動作の目的に応じて優先順位を設定するとともに、受信復調動作の予約要求に応じて、その受信復調動作の目的種別及び優先順位に基づいて、上記複数のチューナ手段のうちのいずれかのチューナ手段に対して、当該受信復調動作の予約を行う。
【００１６】
このような本発明によれば、複数のチューナ手段を有し録画機能を有する放送受信装置において、各種機能についてのチューナー資源の割り当てに優先順位をつけて制御する。
例えばユーザー操作による手動操作に基づく手動録画、予約録画、放送の視聴といった、ユーザーの意志で制御する機能（手動機能）と、ＥＰＧデータ取得、ジャストクロック機能、自動録画など、ユーザーの意志によらずに実行される機能（自動機能）を考えた場合、これらの機能実行時に必要となる受信復調動作について、実行する機能
（目的）に優先順位を設定する。そして目的（実行する機能）及び優先順位によってチューナ手段を割り当てる。
【００１７】
優先順位については、上記手動機能については優先順位を高くし、上記自動機能については低くする。
或るチューナ手段に、既に低い優先順位の機能が割り当てられているとき、より高い優先順位の機能に対してはチューナを割り当てを可能とする。その際、すでに割り当てられていた低い優先度の機能は中断させる。
或るチューナ手段に、既に高い優先順位の機能が割り当てられているとき、より低い優先順位の機能に対してはチューナを割り当てを不可能とする。つまり実行要求をキャンセルする。
複数のチューナ手段のうちの１つ（第１のチューナ手段）は、自動機能および視聴用とする。他の１つ（第２のチューナ手段）は、自動機能及び手動機能での録画（手動録画、予約録画）とする。
つまり手動機能のうち、視聴機能に関しては第１のチューナ手段を専用とする。手動機能のうち、手動録画、予約録画に関しては第２のチューナ手段を専用とする。自動機能（自動録画、ＥＰＧデータ取得、ジャストクロック）については、第１，第２のチューナ手段を選択的に使用できるようにする。
また、チューナー利用を予約を可能とする。即ち各チューナ手段に対応して予約を行う。この場合も、機能の種別や優先順位に応じてチューナ手段を選択して予約する。
【００１８】
【発明の実施の形態】
以下、本発明の実施の形態について説明する。なお、本実施の形態の記録再生装置は、デジタル衛星放送受信機に例えばＨＤＤなどによる記録再生部が設けられて成るものとする。もちろん、本発明の放送受信装置がこのような構成に限定されるものではない。
【００１９】
＜放送受信装置の構成＞
図１は、本発明の実施の形態としての放送受信装置１として、デジタル衛星放送受信機に映像記録再生機能が付加された装置の構成例を示している。
例えばここでは図示しない通信衛星又は放送衛星から送信された放送波は、パラボラアンテナ３０により受信され、映像記録再生装置１のチューナ部２に供給される。この放送波には規定のフォーマットにしたがって電子番組情報のデータ（以降、ＥＰＧ（Ｅｌｅｃｔｒｏｎｉｃ　Ｐｒｏｇｒａｍ　Ｇｕｉｄｅ）　データという）が重畳されている。
なお、上記放送波としては、デジタル衛星放送波の他に有線放送波や地上波などの何れとされても構わない。また、受信した放送波がアナログ信号又はデジタル信号の何れとされるかによって、チューナ２部及び以降説明する各機能回路部の内部構成は適宜変更されることになる。
【００２０】
この放送受信装置１には、第１チューナ部２，第２チューナ部３として２つのチューナ部が設けられている。
各チューナ部２、３は、それぞれシステムコントローラ８の制御に従って選局処理を行い、選局して得られたチャンネルに対応するストリームデータを得る。また、選局処理で得られたストリームデータには、受信チャンネルの番組内容としての映像／音声情報の他、ＥＰＧデータなどの付加情報も多重化されている。
各チューナ部２、３は、ストリームデータからＥＰＧデータを抽出し、システムコントローラ８に転送する。
【００２１】
システムコントローラ８では、転送されたＥＰＧデータに基づいて、例えばＲＡＭ１０を作業領域として使用し、番組ガイド表としての管面表示用データ（画像データ）を生成可能とされている。番組ガイド表は、番組閲覧、選択などのためのＧＵＩ画像として機能する。
またシステムコントローラ８は、放送中の番組や、後述する記録再生部１２に記録した番組についてのユーザーの検索のために、ＥＰＧデータを用いた番組管理も行うことができる。
【００２２】
システムコントローラ８の処理によって生成された管面表示用データは、管面表示信号作成処理部７に供給される。管面表示信号作成処理部７は、システムコントローラ８から供給された管面表示用データをもとに、表示用画像信号を作成して合成処理部５に供給するようにされている。
【００２３】
また、第１，第２各チューナ部２，３では、番組情報を抽出したストリームデータから、さらに、番組内容としての映像信号データ及び音声信号データを抽出する。
第１チューナ部２は、映像信号データを映像信号処理部４に対して出力し、音声信号データを音声信号処理部６に対して出力する。
デジタル衛星放送システムにおいて、放送として送信される映像／音声信号データは、例えばＭＰＥＧ２方式により圧縮符号化されている。
そこで、映像信号処理部４は、番組情報抽出部３から入力された映像信号データについて上記ＭＰＥＧ２方式に対応した復調処理等をはじめとする所要の信号処理を施した映像信号を得る。そして、この映像信号を合成処理部５に出力する。
【００２４】
合成処理部５は、映像信号処理部４から出力された映像信号と管面表示信号作成処理部７から出力された画像信号を合成し、その合成した信号を映像出力として、モニタ装置（テレビジョン受像機）４１に出力するようにされている。
なお、このとき管面表示信号作成処理部７から入力された画像信号が、番組ガイド表としてのものであれば、モニタ装置４１には、現在受信中の番組画像に重畳されるようにして、番組ガイド表が表示されることになる。
【００２５】
音声信号再生処理部６は、番組情報抽出部５から供給された音声信号データについて、例えばＭＰＥＧ２方式に対応した復調処理をはじめとする所要の信号処理を施すことによって、ここでは最終的にアナログの音声信号を得るようにされている。また、音声信号再生処理部６においては、先に説明した映像信号処理部４から出力される映像信号の出力タイミングに同期した音声信号を得るようにされている。そして、この音声信号をスピーカ４２に出力する。
【００２６】
このように第１チューナ部２での受信復調動作による映像信号、音声信号は、ユーザの番組視聴のための信号として、モニタ装置４１やスピーカ４２に供給され、映像、音声として出力されることになる。
【００２７】
記録再生部１２は、例えばＨＤＤ（ハードディスクドライブ）などによる大容量の記録媒体により、大量の映像記録を行うことのできる部位とされる。
例えばシステムコントローラ８は、ユーザーによる録画予約設定や手動録画操作に応じて、記録再生部１２に映像記録を実行させる。
このようなユーザーの操作に基づく番組録画、即ち手動録画機能のためには、第２チューナ部３が受信復調動作を行うものとされる。
即ち第２チューナ部３では、番組情報を抽出したストリームデータから、さらに抽出した番組内容としての映像信号データ及び音声信号データを記録再生部１２に供給し、記録再生部１２においてハードディスクへの録画を実行させる。
【００２８】
また本例では、録画動作として自動録画も行われる。自動録画は、ユーザーの操作に基づかないでシステムコントローラ８が自動的に録画を実行させる機能である。例えばシステムコントローラ８は、常時、ユーザーが視聴した番組（チャンネルや時間帯）を統計的に記憶していくことで、ユーザーが好む番組を判別できるようになる。このようなデータに基づくことでユーザーが見たいと思うであろう番組を予測することができるため、それを自動的に録画する機能である。
このような自動録画を実行する際には、システムコントローラ８の制御により、第１チューナ部２、第２チューナ部３のどちらかが選択的に受信復調動作を実行する。
即ち、第１チューナ部２，第２チューナ部３のいずれかでの受信復調処理で得られた映像信号データ及び音声信号データが記録再生部１２に供給され、記録再生部１２においてハードディスクへの録画が実行される。
【００２９】
またユーザー操作により録画した番組の再生が指示された場合は、システムコントローラ８は記録再生部１２に所定の映像信号データ（及び音声信号データ）の再生を実行させる。再生された映像信号データ及び音声信号データは、映像信号処理部４，音声信号処理部６に供給され、上述と同様に復調処理等が行われてモニタ装置４１，スピーカ４２から出力される。
【００３０】
また各チューナ部２、３は、ストリームデータから抽出する音声情報において、時報音を検出することができ、その時報タイミングをシステムコントローラ８に通知できる。
システムコントローラ８は、内部に時計を備え、例えば予約録画の実行制御などに利用するが、その時計の時刻を各チューナ部２，３から通知された時報タイミングで合わせることができる。ジャストクロック機能である。
【００３１】
システムコントローラ８は、例えばＣＰＵ（Ｃｅｎｔｒａｌ　Ｐｒｏｃｅｓｓｉｎｇ　Ｕｎｉｔ）を備え、当該放送受信装置１の動作制御を実行する。
この場合、システムコントローラ８に対しては、ＲＯＭ９、ＲＡＭ１０、フラッシュメモリ１３等が備えられる。ＲＯＭ９には、システムコントローラ８が各種動作機能を実現するために実行すべきプログラムが記憶される。また、デバイス設定情報なども格納される。
特に、本実施の形態においては、ＲＯＭ９内にチューナ部２，３の制御のためのプログラムが記憶される。
【００３２】
ＲＡＭ１０は、システムコントローラ８が各種制御処理を実行する場合の作業領域であり、システムコントローラ８が実行する処理に応じて、適宜、各種のデータが保持される。
フラッシュメモリ１３には、各種処理係数、設定値などが記憶される。なお、チューナ部２，３の動作に関する予約、例えば予約録画や、自動機能（ＥＰＧデータ取得、ジャストクロック、自動録画）についてのチューナ部の予約について後述するが、これらの予約情報をフラッシュメモリ１３に格納するようにしても良い。なお、予約情報は記録再生部１２においてハードディスクの所定領域を利用して記憶しても良い。
【００３３】
また、本実施の形態の放送受信装置１に対しては、リモートコントローラ２０が付属されている。ユーザは、リモートコントローラ２０に対する操作を行うことで、放送受信装置１にて所望の動作が実行されるようにコントロールすることができる。
リモートコントローラ２０に対して操作が行われることに応じては、その操作に応じた操作情報信号が、例えば赤外線信号や電波などにより無線の形態で送信出力される。このようにして送信された操作情報信号は受信部１１にて受信される。
受信部１１では、受信した操作情報信号をシステムコントローラ８が処理可能なコマンドに変換し、システムコントローラ８に対して転送する。システムコントローラ８では、入力したコマンドに応答した所要の制御処理を実行する。これにより、放送受信装置１では、ユーザ操作に応じた動作が行われることになる。なお、もちろん放送受信装置１の本体に対して各種操作子を設け、この操作子に対する操作に対応するコマンドに応じて、システムコントローラ８が所要の制御処理を実行するように構成してもよい。
【００３４】
＜チューナ制御方式＞
続いて、本例の放送受信装置１において行われるチューナ部２，３に対する制御方式について説明する。
【００３５】
チューナ部２，３による受信復調動作としては、図２に示す各機能のための受信復調動作が行われる。
【００３６】
・視聴
ユーザーがチャンネル操作に応じてユーザーの求める番組を、モニタ装置４１及びスピーカ４２から出力するための、通常のテレビジョン放送受信機能である。
本例の場合、この視聴機能のための受信復調動作は、第１チューナ部２が実行するものとなる。
【００３７】
・ユーザー録画
ユーザーの操作に基づいて所定の放送番組を記録再生部１２においてハードディスクに録画する機能である。このユーザー録画としては、ユーザーの録画操作に応じて録画を開始する「手動録画」と、ユーザーが録画予約を行うことにより、予約登録された時刻において指定されたチャンネルの放送番組を録画する「予約録画」がある。
本例の場合、このユーザー録画（手動録画、予約録画）のための受信復調動作は、第２チューナ部３が実行する。
【００３８】
・ＥＰＧデータ取得
システムコントローラ８は必要な時点で第１チューナ部２又は第２チューナ部３に指示して放送信号からＥＰＧデータを抽出させ、それを取得する。
【００３９】
・ジャストクロック
システムコントローラ８は必要な時点で第１チューナ部２又は第２チューナ部３に指示して放送信号から時報音を抽出させ、時報タイミングを得て内部時計の時刻あわせを行う。
【００４０】
・自動録画
上述のようにシステムコントローラ８がユーザーの操作によらずに所定の放送番組を記録再生部１２においてハードディスクに録画する機能である。システムコントローラ８は自動録画を実行する時点で第１チューナ部２又は第２チューナ部３に指示して所定のチャンネルの受信復調動作を実行させ、放送信号を記録再生部１２に供給させる。
【００４１】
これらの機能として、視聴及びユーザー録画はユーザーの操作に基づく動作機能であり、これらの機能のための受信復調動作についてチューナ部２，３がそれぞれ専用化される。
一方、ＥＰＧデータ取得、ジャストクロック、自動録画の各機能の実行時の受信復調動作については、システムコントローラ８が機能実行時にチューナ部２，３を選択する。
【００４２】
またシステムコントローラ８は、チューナ部２，３の制御に関し、優先機能と非優先機能を設定している。手動機能、即ちユーザー操作に基づく視聴、ユーザー録画については、優先順位の高い優先機能としている。
一方、自動機能であるＥＰＧデータ取得、ジャストクロック、自動録画については、優先順位の低い非優先機能としている。。
【００４３】
図３によりチューナ制御のための機能ブロックを示す。これらはシステムコントローラ８においてソフトウエアにより構成される機能ブロックである。
機能ブロックとして、第１チューナ制御部５１、第２チューナ制御部５２、視聴制御部５３、ユーザー録画制御部５４、自動機能制御部５５、予約制御部５６、第１予約テーブル５７、第２予約テーブル５８が設けられる。
これら各機能ブロックは、全体が１つのチューナ制御プログラムによる処理として実現されたり、或いはそれぞれが互いに連係処理を行うプログラムモジュールとして形成される。
【００４４】
第１チューナ制御部５１は、第１チューナ部２に対して選局チャンネルを指示し、受信復調動作を実行させる制御処理を行う。
第２チューナ制御部５２は、第２チューナ部３に対して選局チャンネルを指示し、受信復調動作を実行させる制御処理を行う。
【００４５】
視聴制御部５３は、ユーザーのチャンネル操作等の検出、及びその操作に基づいて、ユーザーが視聴しようとしているチャンネルの受信復調動作の指示を出す。上述のように視聴機能については第１チューナ部２が専用的に行うものとするため、視聴制御部５３は第１チューナ制御部５１に指示を出力し、第１チューナ制御部５１が、指示に応じて第１チューナ部２の選局制御を実行する。これによって第１チューナ部２で受信復調された放送信号が、モニタ装置４１やスピーカ４２から出力される動作が実行される。
【００４６】
ユーザー録画制御部５４は、手動録画、予約録画に関する制御、管理を行う。ユーザー録画に関しては第２チューナ部３が専用的に受信復調動作を行うようにしている。このためユーザーが手動録画の操作を行った場合は、ユーザー録画制御部５４は第２チューナ制御部５２に対して、録画すべき放送チャンネルの指示を出し、第２チューナ制御部５２はこの指示に応じて第２チューナ部３の選局制御を実行する。これによって第２チューナ部３で受信復調された放送信号が、記録再生部１２に供給され録画される動作が実行される。
また、ユーザーが録画予約の操作を行った場合、ユーザー録画制御部５４は予約制御部５６に対して予約登録の要求を行う。
また登録された予約録画の時刻に達したら、ユーザー録画制御部５４は第２チューナ制御部５２に対して、録画すべき放送チャンネルの指示を出し、第２チューナ制御部５２はこの指示に応じて第２チューナ部３の選局制御を実行する。これによって第２チューナ部３で受信復調された放送信号が、記録再生部１２に供給され予約録画動作が実行される。
【００４７】
自動機能制御部５５は、自動機能、即ち自動録画、ＥＰＧデータ取得、ジャストクロックの処理についての制御を行う。これらの処理を行う場合、自動機能制御部５５は第１チューナ制御部５１、又は第２チューナ制御部５２のいずれかに、機能実行のための選局指示をだす。時視された第１チューナ制御部５１、又は第２チューナ制御部５２は、指示に応じて担当するチューナ部（２，３）の受信復調動作を実行させる。
また自動機能については、実行する時刻を予約することができる。この場合、自動機能制御部５５は予約制御部５６に対して自動機能の予約を要求する。また自動機能制御部５５は登録された予約時刻になったら、第１チューナ制御部５１、又は第２チューナ制御部５２のいずれかに、機能実行のための選局指示を出す。
【００４８】
第１チューナ制御部５１に対しては、視聴制御部５３からの指示、及び自動機能制御部５５からの指示が発生する。第１チューナ制御部５１は、自動機能制御部５５からの指示よりも、視聴制御部５３からの指示の方が優先順位が高いものとして扱う。
例えば自動機能制御部５５からの指示による選局制御の実行中に視聴制御部５３からの指示が発生した場合は、第１チューナ部２で実行中の受信復調動作を中断させて視聴制御部５３からの指示による受信復調動作の制御を行なう。
逆に視聴制御部５３からの指示に応じた選局制御による受信復調動作の実行中に自動機能制御部５５からの指示が発生した場合は、その自動機能制御部５５からの指示をキャンセルする。
【００４９】
第２チューナ制御部５２に対しては、ユーザー録画制御部５４からの指示、及び自動機能制御部５５からの指示が発生する。第２チューナ制御部５２は、自動機能制御部５５からの指示よりも、ユーザー録画制御部５４からの指示の方が優先順位が高いものとして扱う。
例えば自動機能制御部５５からの指示による選局制御の実行中にユーザー録画制御部５４からの指示が発生した場合は、第２チューナ部３で実行中の受信復調動作を中断させて、ユーザー録画制御部５４からの指示による受信復調動作の制御を行なう。
逆にユーザー録画制御部５４からの指示による選局制御の実行中に自動機能制御部５５からの指示が発生した場合は、その自動機能制御部５５からの指示をキャンセルする。
【００５０】
予約制御部５６は、ユーザー録画制御部５４又は自動機能制御部５５からの要求に応じて予約登録を行い、また予約動作を管理する。
予約登録のためには第１予約テーブル５７と第２予約テーブル５８が用意され、予約制御部５６は、第１チューナ部２の動作として予約する事項を第１予約テーブル５７に登録する。また第２チューナ部３の動作として予約する事項を第２予約テーブル５８に登録する。
第１予約テーブル５７と第２予約テーブル５８は、フラッシュメモリ１３、或いは記録再生部１２におけるハードディスクの所定領域において、予約登録情報を記憶するテーブルとして設けられる。
【００５１】
また予約制御部５６は、現在時刻と予約登録内容をチェックしており、或る予約登録された動作の開始時刻となったら、その情報をユーザー録画制御部５４又は自動機能制御部５５に通知し、予約登録にかかる動作制御を実行させる。
予約内容としては、予約録画と、自動機能としての自動録画、ＥＰＧデータ取得、ジャストクロックの各動作の予約が可能である。
【００５２】
上述の通り、予約録画のための受信復調動作は第２チューナ部３で行われる。そして第１予約テーブル５８は第１チューナ部２の動作に関するものであるため、第１予約テーブル５８には自動機能に関する内容（時刻やチャンネル）が登録されるものとなる。
一方、第２予約テーブル５７は第２チューナ部３の動作に関するものであるため、ユーザー操作による予約録画の内容（時刻やチャンネル）が登録され、また自動機能に関する内容（時刻やチャンネル）も登録される。
【００５３】
予約制御部５６は、予約処理に関しユーザー録画制御部５４と自動機能制御部５５からの予約要求が発生するが、自動機能制御部５５からの指示よりも、ユーザー録画制御部５４からの要求の方が優先順位が高いものとして扱う。
例えば第１予約テーブル５７には予約録画と自動機能の予約が登録されるが、或る時刻の予約として予約録画の予約要求があった際に、その時刻において既に自動機能の予約がなされていたら、当該自動機能の予約を抹消して予約録画の予約登録を行う。
逆に或る時刻の予約として自動機能の予約要求があった際に、その時刻において既に予約録画の予約がなされていたら、当該自動機能の予約をキャンセルする。
【００５４】
このような図３の制御機能によって行われる制御動作をまとめると、以下のようになる。
【００５５】
・実行させるチューナー資源の割り当てとしては、視聴機能、ユーザー録画（手動録画、予約録画）が自動機能（自動録画、ＥＰＧデータ取得、ジャストクロック）より優先される。
・第１チューナ部２は、視聴機能および自動機能用とする。
・第２チューナ部３は、ユーザー録画機能および自動機能用とする。
【００５６】
そして或る機能Ａの実行要求があった場合、
・その機能Ａのために使用しようとするチューナ部が空いていれば、そのチューナ部を利用し、その機能を実行させる。
・その機能Ａのために使用しようとするチューナ部が、優先順位の低い機能Ｂに利用されていた場合、機能Ｂを中断し、チューナ部に機能Ａを割り当て、機能Ａを実行させる。
・その機能Ａのために使用しようとするチューナ部が、優先順位の高い機能Ｂに利用されていた場合、機能Ａは実行させない。
・その機能Ａのために使用しようとするチューナ部が、優先順位の同じ機能Ｂに利用されていた場合、機能Ａは実行させない。
【００５７】
・予約の割り当てとしても、視聴機能、ユーザー録画（手動録画、予約録画）が自動機能（自動録画、ＥＰＧデータ取得、ジャストクロック）より優先される。・第１予約テーブル５７は、自動機能用とする。
・第２予約テーブル５８は、予約録画機能および自動機能用とする。
【００５８】
そして或る機能Ａの予約要求があった場合、
・その機能Ａのために使用しようとするチューナ部について予約が空いていれば、そのチューナ部に対応する予約テーブルに予約登録を行う。
・その機能Ａのために使用しようとするチューナ部について、優先順位の低い機能Ｂの予約が行われていた場合、機能Ｂの予約を抹消し、機能Ａの予約登録を行う。
・その機能Ａのために使用しようとするチューナ部について、優先順位の高い機能Ｂの予約が行われていた場合、機能Ａは予約させない。
・その機能Ａのために使用しようとするチューナ部について、優先順位の同じ機能Ｂの予約が行われていた場合、機能Ａは予約させない。
【００５９】
＜チューナ制御処理＞
図３のようなチューナ制御のための機能ブロックが設けられるシステムコントローラ８によるチューナ制御処理例を図４に示す。
ステップＦ１０１として、ユーザーの操作又は自動処理によって、チューナ制御をともなう或る機能Ａの実行要求が発生すると、システムコントローラ８の処理はステップＦ１０２に進み、当該機能Ａが優先機能であるか否かを判断する。機能Ａが優先機能、即ち視聴機能又は手動録画機能であった場合は、ステップＦ１０３に進み、その機能に応じた専用チューナ部の動作確認を行う。
つまり視聴機能の要求であった場合は、第１チューナ部２が現在、他の機能による受信復調動作中であるか否かを判断する。
手動録画機能であった場合は、第２チューナ部３が現在、他の機能による受信復調動作中であるか否かを判断する。
【００６０】
機能Ａについて専用とされるチューナ部が動作実行中でなければ、ステップＦ１０４からＦ１０７に進んで、要求された機能Ａのための受信復調動作を、そのチューナ部（２又は３）で実行させる。
一方、機能Ａについて専用とされるチューナ部が、他の機能のための受信復調動作を実行中であった場合、ステップＦ１０４からＦ１０５に進み、現在実行中の機能が、要求された機能Ａと比べて優先順位が同等以上であるか否かを確認する。
もし、優先順位の低い機能のための受信復調動作が実行されていたのであれば、ステップＦ１０６に進み、その実行中の動作を終了（中断）させて、ステップＦ１０７に進み、要求された機能Ａのための受信復調動作を、そのチューナ部（２又は３）で実行させる。
また、優先順位の同等以上の機能のための受信復調動作が実行されていたのであれば、ステップＦ１０５からＦ１１２に進み、機能Ａの実行要求をキャンセルする。
【００６１】
このステップＦ１０３〜Ｆ１０７，Ｆ１１２の処理により、例えば以下の制御が行われる。
・視聴要求があった場合に、第１チューナ部２があいていれば、第１チューナ部２で要求された視聴機能のための受信復調動作を実行させる。
・視聴要求があった場合に、第１チューナ部２で自動機能のための受信復調動作（優先順序が低い動作）が実行されていれば、その第１チューナ部２の動作を中断させて、要求された視聴機能のための受信復調動作を実行させる。
・手動録画要求があった場合に、第２チューナ部３があいていれば、第２チューナ部３で要求された手動録画機能のための受信復調動作を実行させる。
・手動録画要求があった場合に、第２チューナ部３で自動機能のための受信復調動作（優先順序が低い動作）が実行されていれば、その第２チューナ部３の動作を中断させて、要求された手動録画機能のための受信復調動作を実行させる。
・手動録画要求があった場合に、第２チューナ部３で予約録画機能のための受信復調動作（優先順位が同等以上の動作）が実行されていれば、手動録画の要求をキャンセルする。
【００６２】
ステップＦ１０１で実行要求された機能Ａが、非優先機能、つまり自動録画、ＥＰＧデータ取得、ジャストクロックのいずれかであった場合は、ステップＦ１０２からＦ１０８に進む。
ステップＦ１０８では第１，第２チューナ部２，３の動作を確認する。つまり両チューナ部２，３があいているか、或いは一方のチューナ部が動作中であるか、或いは両方のチューナ部２，３が動作中であるかを確認する。
【００６３】
両方のチューナ部２，３が動作中である場合は、どちらのチューナ部２，３も優先順位が同等以上の動作が実行されていることになるため、ステップＦ１０９からＦ１１２に進み、機能Ａの実行要求をキャンセルする。
両方又は一方のチューナ部が空いている場合は、ステップＦ１０９からＦ１１０に進み、チューナ選択を行う。一方のチューナ部が空いている場合は、その空いているチューナ部を選択する。また両方のチューナ部が空いている場合は、どちらか一方を選択する。
そしてステップＦ１１１で、選択したチューナ部によって、要求された機能Ａのための受信復調動作を実行させる。
【００６４】
このステップＦ１０８〜Ｆ１１２の処理により、例えば以下の制御が行われる。
・自動録画、ＥＰＧデータ取得、ジャストクロックのいずれか（自動機能）の要求があった場合に、第１、第２チューナ部２、３の両方があいていれば、第１、第２チューナ部２、３のいずれかで、要求された自動機能のための受信復調動作を実行させる。
・上記自動機能の要求があった場合に、第１チューナ部２のみがあいていれば、第１チューナ部２で、要求された自動機能のための受信復調動作を実行させる。また第２チューナ部３のみがあいていれば、第２チューナ部３で、要求された自動機能のための受信復調動作を実行させる。
・上記自動機能の要求があった場合に、第１、第２チューナ部２、３が動作実行中であれば、その動作は、今回要求された機能よりも優先順位が高いか、或いは同等のものであるため、今回の機能の実行要求をキャンセルする。
【００６５】
以上の図４の処理により、ユーザーの意志にかかる手動機能（視聴、手動録画）については、ユーザーの望んだ際に実行できるものとなる。また自動機能については使用可能なチューナ部を選択的に用いて実行できるため、優先順位が低くても実行可能な機会は増加される。従って、２つのチューナ部２，３が効率的に、かつ適切に利用できることになる。
【００６６】
＜予約処理＞
次に、図３のようなチューナ制御のための機能ブロックが設けられるシステムコントローラ８による予約処理例を図５で説明する。
ステップＦ２０１として、ユーザーの操作又は自動処理によって、チューナ動作に関する予約要求、即ち予約録画、或いは自動機能（自動録画、ＥＰＧデータ取得、ジャストクロック）についての予約要求が発生すると、システムコントローラ８の処理はステップＦ２０２に進み、当該予約要求が優先機能である予約録画のための予約要求であるか否かを判断する。
【００６７】
予約録画についての予約要求であった場合は、ステップＦ２０３に進み、第２予約テーブル５８のチェックを行う。予約録画のための受信復調動作は第２チューナ部３が割り当てられるものであるため、第２チューナ部３に対応する第２予約テーブル５８のチェックを行うものである。
このチェックとしては、予約要求にかかる時刻について、既に第２予約テーブル５８に他の予約登録がされているか否かのチェックとなる。
【００６８】
第２予約テーブル５８において、予約しようとする時刻について予約登録が行われていなければ、ステップＦ２０４からＦ２０７に進んで、要求された機能（予約録画機能）のための予約登録を第２予約テーブル５８に対して行う。
一方、第２予約テーブル５８において、予約しようとする時刻について予約登録が行われていた場合、ステップＦ２０４からＦ２０５に進み、その予約登録された機能が非優先機能であるか否かを確認する。
もし、優先順位の低い非優先機能のための予約登録であれば、ステップＦ２０６に進み、その予約登録を抹消して、ステップＦ２０７に進み、要求された予約録画機能のための予約登録を第２予約テーブル５８に対して行う。
また、優先順位の同等以上の機能のための予約登録がなされていたのであれば、ステップＦ２０５からＦ２１２に進み、今回の予約録画のための予約要求をキャンセルする。
【００６９】
このステップＦ２０３〜Ｆ２０７，Ｆ２１２の処理により、例えば以下の制御が行われる。
・予約録画のための予約要求があった場合に、第２予約テーブル５８において該当時刻があいていれば、第２予約テーブル５８に予約登録する。
・予約録画のための予約要求があった場合に、第２予約テーブル５８において該当時刻に予約があり、それが非優先機能（自動録画、ＥＰＧデータ取得、ジャストクロック）の予約であれば、その予約を抹消して、要求された予約録画のための予約登録を行う。
・予約録画のための予約要求があった場合に、第２予約テーブル５８において該当時刻に予約があり、それが同等以上の優先機能（過去に登録された他の予約録画）の予約であれば、今回の予約要求をキャンセルする。
【００７０】
ステップＦ２０１での予約要求が、非優先機能、つまり自動録画、ＥＰＧデータ取得、ジャストクロックのいずれかについての予約要求であった場合は、ステップＦ２０２からＦ２０８に進む。
ステップＦ２０８では第１，第２予約テーブル５７、５８の予約状況を確認する。つまり両予約テーブル５７、５８において、予約しようとする時刻に予約が既になされているか否かを確認する。
【００７１】
該当時刻において両方の予約テーブル５７、５８に予約済みの場合は、どちらも優先順位が同等以上の機能が予約されていることになるため、ステップＦ２０９からＦ２１２に進み、今回の予約要求をキャンセルする。
両方又は一方の予約テーブルが空いている場合は、ステップＦ２０９からＦ２１０に進み、予約テーブルの選択（予約するチューナ部の選択）を行う。一方の予約テーブルが空いている場合は、その空いている予約テーブルを選択する。また両方の予約テーブルが空いている場合は、どちらか一方を選択する。
そしてステップＦ２１１で、選択した予約テーブルに、今回の予約要求にかかる予約登録を行う。
【００７２】
このステップＦ２０８〜Ｆ２１２の処理により、例えば以下の制御が行われる。
・自動録画、ＥＰＧデータ取得、ジャストクロックのいずれか（自動機能）の予約要求があった場合に、第１、第２予約テーブル５７，５８の両方があいていれば、第１、第２予約テーブル５７，５８のいずれかに、要求された自動機能のための予約登録を行う。
・上記自動機能の予約要求があった場合に、第１予約テーブル５７のみがあいていれば、第１予約テーブル５７に予約登録を行う。また第２予約テーブル５８のみがあいていれば、第２予約テーブル５８に予約登録を行う。
・上記自動機能の予約要求があった場合に、第１、第２予約テーブル５７、５８の両方に他の予約がなされていれば、その予約は、今回要求された機能よりも優先順位が高いか、或いは同等の機能についての予約であるため、今回の予約要求をキャンセルする。
【００７３】
以上の図５の処理により予約された内容については、予約時刻に達した時点で予約された機能の動作が実行される。
即ち図３の予約制御部５６が予約内容を管理し、予約内容と予約時刻、現在時刻に応じて、ユーザー録画制御部５４又は自動機能制御部５５に予約内容の実行指示を出す。そしてユーザー録画制御部５４又は自動機能制御部５５は、指示に応じて上述の通り制御を行う。
なお、予約動作を開始しようとする時刻において、ユーザーの操作などにより他の処理が行われている場合がある。その場合、予約された動作の実行要求を、図４のステップＦ１０１での実行要求発生として、図４の処理で優先判断、チューナ選択が行われればよい。
【００７４】
上記図５の処理により、ユーザーの意志にかかる手動機能（予約録画）については、ユーザーの望んだとおりに実行できるものとなる。また自動機能については予約可能なチューナ部を選択的に用いて実行できるため、優先順位が低くても実行可能な機会は増加される。従って、２つのチューナ部２，３が効率的に、かつ適切に利用できることになる。
【００７５】
＜変形例＞
以上本発明の実施の形態を説明してきたが、本発明の構成や処理例は、上記例以外に各種変形例が考えられる。
【００７６】
例えば図４，図５の処理の変形例として次のような例が考えられる。
図４のステップＦ１０６では実行中の非優先機能のための受信復調動作が中断されるが、その場合に、他方のチューナ部が空いている場合は、中断された非優先機能のための受信復調動作を他方のチューナ部において引き続き実行させるようにすることで、よりチューナ資源を有効利用できる。
また、或る非優先機能について、ステップＦ１０６の処理で中断されることが何度も連続し、その機能が長期にわたって実現できなかった場合には、一時的にその機能を優先機能としたり、或いは優先機能として予約登録できるようにすることも考えられる。
【００７７】
図４のステップＦ１１０のチューナ選択として、両方のチューナ部２，３が使用可能であった場合の選択は、どちらでも良いと述べたが、この際に予約状況を確認して選択するとより好適である。即ち現在時刻から近い時刻において予約登録が存在する側のチューナ部を避けて他方を選択するとよい。これは、ステップＦ１１１での受信復調動作開始後、その実行中に、他の予約された動作の開始時刻に達してしまう確率を下げることができるためである。
【００７８】
また図５の予約処理におけるステップＦ２０６では、第２予約テーブル５８から非優先機能の予約が抹消されるが、他方の第１予約テーブル５７が空いていれば、第１予約テーブルの方に抹消した予約内容を登録するようにすれば、これもチューナ部の有効利用に好適となる。
【００７９】
また上記例では優先順位を２段階に設定したが、各種機能について３段階以上の優先順位を設定しても良い。
【００８０】
また上記例では、チューナ制御処理と予約処理の両方で、機能種別及び優先順位によるチューナ選択が行われるようにしたが、全て予約の割り当ての優先順位制御で行うようにしてもよい。
その場合、視聴機能や手動録画機能なども、ユーザーの指示があった時点に予約されたものとして扱い、予約テーブル上で優先判断及びチューナ選択を行う。これにより、予約管理によって上記例と同様にチューナ部２，３の有効利用とユーザーの操作性向上を図ることができる。
【００８１】
また上記例では２つのチューナ部２，３を備えるものとしたが、３つ以上のチューナ部を備えた構成においても、本発明は同様に適用可能である。
さらに、上記例のチューナ部２，３はデジタル衛星放送チューナとしたが、アナログ衛星放送チューナ、地上波（アナログ／デジタル）チューナ、ラジオチューナ、その他のあらゆる放送チューナにおいて本発明を適用できる。
【００８２】
【発明の効果】
以上の説明から理解されるように本発明によれば、複数のチューナ手段を有し録画機能を有する放送受信装置において、各種機能についてのチューナー資源の割り当てに優先順位を設定し、実行する機能
（目的）及び優先順位に基づいてチューナ手段を選択的に制御することで、ユーザーの希望する操作をいつでも実施可能とし、かつ、チューナー資源を有効に利用することが可能となるという効果がある。
【００８３】
即ち優先順位については、手動機能については優先順位を高くし、自動機能については低くする。即ち視聴用信号の出力（視聴機能）や、操作に応じて放送信号を記録媒体に記録すること（手動録画機能、予約録画機能）を目的とする放送信号の受信復調動作は優先順位を高くする。一方、所定の自動処理、例えばＥＰＧデータ取得機能、ジャストクロック機能、自動録画機能を目的とする放送信号の受信復調動作は優先順位を低くする。また視聴機能については第１のチューナ手段を専用とし、手動録画機能、予約録画機能については第２のチューナ手段を専用とし、さらに自動機能については第１，第２のチューナ手段を選択的に使用できるものとしている。これによって、ユーザーの意志にかかる手動機能については、ユーザーの望んだ際に実行できるものとなる。また自動機能については使用可能なチューナ手段を選択的に用いて実行できるため、優先順位が低くても実行可能な機会は増加される。
これにより、チューナ手段の有効利用及びユーザーの使用性の向上が実現される。
また機能実行のためのチューナ手段の予約についても、同様に機能の種別や優先順位に応じて行うことで、チューナ手段の有効利用が図られると共に、ユーザーの希望する操作をいつでも予約及び実施可能とできる。
【００８４】
また、このように複数のチューナ手段の有効利用が図られることは、必要なチューナ手段の数を最小限（例えば２つ）とでき、その点で構成の煩雑化を招かずに高機能処理が可能となる。例えば必要な機能のためにそれぞれ専用のチューナ手段が設けられることに比べては、構成は簡易となり、また使用機会の少ないチューナ手段が発生するといったこともなくなって資源の有効利用が実現される。もちろん、それぞれの機能に専用化した多数のチューナ手段を設けることに比べては、コスト的にも有利となる。
【図面の簡単な説明】
【図１】本発明の実施の形態の放送受信装置のブロック図である。
【図２】実施の形態の機能の種別及び優先順位の説明図である。
【図３】実施の形態の制御ブロックの説明図である。
【図４】実施の形態のチューナ制御処理のフローチャートである。
【図５】実施の形態の予約処理のフローチャートである。
【符号の説明】
１　放送受信装置、２　第１チューナ部、３　第２チューナ部、４　映像信号処理部、５　合成処理部、６　音声信号処理部、７　管面表示信号生成処理部、８　システムコントローラ、９　ＲＯＭ、１０　ＲＡＭ、１１　受信部、１２　記録再生部、１３　フラッシュメモリ、２０　リモートコントローラ
【図１】
2004064478.tif 000003
【図２】
2004064478.tif 000004
【図３】
2004064478.tif 000005
【図４】
2004064478.tif 000006
【図５】
2004064478.tif 000007